(57)【要約】【課題】  全体に軽量・小型化することができ、かつコストを抑えることができ、通気箇所のムラが生じ難く、設置後の管理が容易で、さらに室内に設置するのにも適した大気浄化壁面緑化装置を提供する。【解決手段】  大気浄化壁面緑化装置は、スポンジ状またはロール状の植物育成基盤１と、この植物育成基盤１の背面に沿って設けられ、植物育成基盤１を通過して浄化されるように送風する空気を案内する通気層６を形成した通気層形成部材２とを備える。例えば、植物育成基盤１が複数個配列され、これら複数の植物育成基盤１の背面が互いに共通の通気層６に沿う構成とする。通気層６に対して、ファン１９を設ける。【選択図】        図１
2015029426.tif 000002
【特許請求の範囲】
【請求項１】
スポンジ状またはロール状の植物育成基盤と、この植物育成基盤の背面に沿って設けられ、前記植物育成基盤を通過して浄化されるように送風する空気を案内する通気層を形成した通気層形成部材とを備える大気浄化壁面緑化装置。
【請求項２】
請求項１に記載の大気浄化壁面緑化装置において、前記植物育成基盤が複数個配列され、これら複数の植物育成基盤の背面が互いに共通の通気層に沿う大気浄化壁面緑化装置。
【請求項３】
請求項２に記載の大気浄化壁面緑化装置において、前記通気層形成部材の前面に、前記各植物育成基盤をそれぞれ収容する複数の容器部を有し、この容器部は、背面に前記通気層と連通する通気口を、前面に植物を植栽する植栽用開口をそれぞれ有し、かつ上面に灌水入口を、下面に灌水出口をそれぞれ有する大気浄化壁面緑化装置。
【請求項４】
請求項３に記載の大気浄化壁面緑化装置において、前記通気層形成部材がボックス状であり、前記通気層の外部から空気を吸引して前記通気層内へ送風しまたは前記通気層から空気を吸引して外部へ送風するファンを前記通気層形成部材に設置した大気浄化壁面緑化装置。
【請求項５】
請求項４に記載の大気浄化壁面緑化装置において、最上段の前記容器部の上方に、前記植物育成基盤に潅水する灌水手段を設け、前記通気層形成部材の下方に貯水タンクを設けた大気浄化壁面緑化装置。
【請求項６】
請求項１ないし請求項５のいずれか１項に記載の大気浄化壁面緑化装置において、前記通気層形成部材の前面に、それぞれ前記植物育成基盤を収容する複数の容器部が互いに間隔を開けて複数個配列され、これら複数の容器部はそれぞれ背面に前記通気層と連通する通気口を有し、この通気口は前記植物育成基盤の背面に比べて小さくした大気浄化壁面緑化装置。
【請求項７】
請求項１ないし請求項６のいずれか１項に記載の大気浄化壁面緑化装置において、前記植物育成基盤の水分を含んだ状態での前後方向の通気抵抗が１００Ｐａ以下である大気浄化壁面緑化装置。
【発明の詳細な説明】
【技術分野】
【０００１】
この発明は、大気を清浄化する機能と壁面を緑化する機能とを備えた大気浄化壁面緑化装置に関する。
【背景技術】
【０００２】
建物の壁面等に設置されて大気の浄化および壁面等の緑化を行う大気浄化壁面緑化装置がある。この種の従来の大気浄化壁面緑化装置は、緑化用の植物が植えられる土壌基盤に大気を通過させることで、大気中の汚染物質を吸着、除去する。土壌基盤としては、軽量土壌等の土が用いられていた。
大気浄化は行わずに壁面緑化だけを行うために用いられる緑化面形成部材では、土壌基盤が土以外からなるものもある（例えば特許文献１）。
【先行技術文献】
【特許文献】
【０００３】
【特許文献１】特開２０１３−９９２９８号公報
【発明の概要】
【発明が解決しようとする課題】
【０００４】
従来の大気浄化壁面緑化装置は、土壌基盤に軽量土壌等の土を用いていたため、以下のような問題点がある。
・土壌基盤の重量が重い。例えば、土は、湿潤状態で比重が０．５程度である。
・土壌基盤の重量が重いことにより、大気浄化壁面緑化装置の構造体を頑丈に造る必要があり、コストが高くつく。
・土壌そのもの、または土壌層全体で土壌組成分の分布が不均一となり易く、通気性にムラが生じ易い。
・緑化面となる前面から土壌が少なからずこぼれ落ちるので、室内に設置するのに適しない。
・現場施工となるため、施工に時間、労力、費用がかかる。
・土壌基盤の土が目減りするため、適宜土を補充する必要がある。
【０００５】
この発明の目的は、全体に軽量・小型化することができ、かつコストを抑えることができ、通気箇所のムラが生じ難く、設置後の管理が容易で、さらに室内に設置するのにも適した大気浄化壁面緑化装置を提供することである。
【課題を解決するための手段】
【０００６】
この発明の大気浄化壁面緑化装置は、スポンジ状またはロール状の植物育成基盤と、この植物育成基盤の背面に沿って設けられ、前記植物育成基盤を通過して浄化されるように送風する空気を案内する通気層を形成した通気層形成部材とを備える。
この構成によると、植物育成基盤の背面に通気層形成部材が設けられているため、送風を行うことにより、通気層形成部材の通気層から植物育成基板の正面側への空気の流れ、または植物育成基盤の正面側から通気層形成部材の通気層への空気の流れが生じる。この空気の流れにより空気が植物育成基盤を通過する際に、空気中の汚染物質が吸着、除去されて、空気が清浄化される。植物育成基盤がスポンジ状またはロール状であって軽量であるため、大気浄化壁面緑化装置の構造体を比較的簡易な構成とすることができ、またこれらのため材料選択の幅ができ、コストダウンを図れると共に意匠性を高めることができる。植物育成基盤は、スポンジ状またはロール状であるため、均一な仕様にすることができる。そのため、通気性にムラが生じ難い。また、土を用いないため、室内に設置しても、土がこぼれ落ちて室内を汚すことがない。
【０００７】
この発明において、前記植物育成基盤は複数個配列されていても良い。その場合、これら複数の植物育成基盤の背面が互いに共通の通気層に沿うように、各植物育成基盤を配列すると良い。
複数の植物育成基盤の背面が互いに共通の通気層に沿うように、各植物育成基盤を配列すると、一つの通気層で複数の植物育成基盤に空気を通過させることができ、全体構成を簡易なものとすることができる。
【０００８】
上記のように複数の植物育成基盤が配列されている場合、前記通気層形成部材の前面に、前記各植物育成基盤をそれぞれ収容する複数の容器部を有し、この容器部は、背面に前記通気層と連通する通気口を、前面に植物を植栽する植栽用開口をそれぞれ有し、かつ上面に灌水入口を、下面に灌水出口をそれぞれ有すると良い。
通気層形成部材の前面に、各植物育成基盤をそれぞれ収容する複数の容器部を設けることで、各植物育成基盤を所定の位置に精度良く配置することができる。各容器部が通気層と連通する通気口を有すると、植物育成基盤を通って空気が流れることができる。また、各容器部が、上面に灌水入口を、下面に灌水出口をそれぞれ有すると、上面の灌水入口から潅水を行い、下面の灌水出口から余分の水を排出することができる。
【０００９】
また、前記通気層形成部材がボックス状であり、前記通気層の外部から空気を吸引して前記通気層内へ送風しまたは前記通気層から空気を吸引して外部へ送風するファンを前記通気層形成部材に設置しても良い。
通気層形成部材にファンを設置すると、外部にファンやダクトを設けることが不要となり、ファンを含めて全体をコンパクトに構成でき、また設置が簡単に行える。
【００１０】
さらに、最上段の前記容器部の上方に、前記植物育成基盤に潅水する灌水手段を設け、前記通気層形成部材の下方に貯水タンクを設けても良い。
灌水手段を設けると、植物育成基盤へ水を良好に供給することができる。また、貯水タンクを設けると、余分な水を回収することができる。
【００１１】
この発明において、前記通気層形成部材の前面に、それぞれ前記植物育成基盤を収容する複数の容器部が互いに間隔を開けて複数個配列され、これら複数の容器部はそれぞれ背面に前記通気層と連通する通気口を有し、この通気口は前記植物育成基盤の背面に比べて小さくしても良い。
この構成の場合、複数の容器部が互いに間隔を開けて複数個配列されているため、各容器部で育成される植物が互いに干渉することを防止できるという利点が得られる。この場合に前記容器部の背面の全体が通気口となっていると、通気口から入った空気の一部が、植物育成基盤を通過せずに周辺に漏れ、植物育成基盤による浄化機能が十分に発揮されないことがある。しかし、上記のように通気口を前記植物育成基盤の背面に比べて小さくしてあると、周辺への空気の漏れが無くせ、確実な浄化が行える。
【００１２】
この発明において、前記植物育成基盤の水分を含んだ状態での前後方向の通気抵抗が１００Ｐａ以下であるのが良い。
通気抵抗が１００Ｐａ以下であると、植物育成基盤を空気が前後に良好に通過することができる。
【発明の効果】
【００１３】
この発明の大気浄化壁面緑化装置は、スポンジ状またはロール状の植物育成基盤と、この植物育成基盤の背面に沿って設けられ、前記植物育成基盤を通過して浄化されるように送風する空気を案内する通気層を形成した通気層形成部材とを備えるため、全体に軽量・小型化することができ、かつコストを抑えることができ、通気箇所のムラが生じ難く、設置後の管理が容易で、さらに室内に設置するのにも適する。
【図面の簡単な説明】
【００１４】
【図１】（Ａ）この発明の実施形態にかかる大気浄化壁面緑化装置の縦断面図、（Ｂ）はその正面図である。
【図２】（Ａ）は同大気浄化壁面緑化装置の植物育成基盤の斜視図、（Ｂ）はその側面図である。
【図３】この発明の異なる実施形態にかかる大気浄化壁面緑化装置の縦断面図である。
【図４】この発明のさらに異なる実施形態にかかる大気浄化壁面緑化装置の縦断面である。
【図５】（Ａ）はこの発明のさらに異なる実施形態にかかる大気浄化壁面緑化装置の正面図、（Ｂ）はその容器部の斜視図、（Ｃ）は異なる容器部の斜視図である。
【図６】（Ａ）はこの発明のさらに異なる実施形態にかかる大気浄化壁面緑化装置の正面図、（Ｂ）はその容器部の斜視図、（Ｃ）は異なる容器部の斜視図である。
【発明を実施するための形態】
【００１５】
この発明の一実施形態を図１および図２と共に説明する。この大気浄化壁面緑化装置は、図１（Ｂ）の正面図に示すように、上下方向および左右方向に整列状態で並ぶ複数の植物育成基盤１と、図１（Ａ）の縦断面図に示すように、前記各植物育成基盤１の背面側に位置する通気層形成部材２とを備える。
【００１６】
大気浄化壁面緑化装置の外郭は、ボックス状の装置躯体３からなる。装置躯体３は、複数の金属板または樹脂板を、正面側が開口したボックス状に組み立てたものである。装置躯体３の内部は、仕切り板４により正面側空間と背面側空間とに仕切られており、正面側空間内に配置された複数の容器部５に、前記各植物育成基盤１がそれぞれ収容されている。そして、各植物育成基盤１の正面側の面が植物３０の植えられる植栽面となる。前記通気層形成部材２は、装置躯体３における前記仕切り板４よりも背面側の部分で構成され、前記背面側空間が、各植物育成部材１を通過して浄化されるように送風される空気を案内する通気層６となっている。
【００１７】
各植物育成基盤１は、スポンジ状の発泡素材、すなわち連続気泡の多孔体で、弾性または可撓性を有する素材、またはロール状にしたフェルト状のマット素材などからなる。これらスポンジ状の発泡素材、またはロール状にしたフェルト状のマット素材は、浸水状態での素材変化が小さく、かつ水分を含んだ状態で通気抵抗が１００Ｐａ以下であるのが望ましい。１００Ｐａは、植物育成基盤１を空気が前後に良好に通過することができる通気抵抗である。ロール状にしたフェルト状のマット素材の場合、例えばマット素材の巻き中心軸の向きを前後方向にして設置する。また、植物育成基盤１は、保水性および導水性に優れたものが望ましい。例えば、バイレック揚水距離が１０分後で５ｃｍ以上となる素材を用いるのが良い。具体的には、スポンジ、またはサントリーホールディング株式会社製「パフカル」（登録商標）等を使用しても良い。
【００１８】
植物育成基盤１は、前記容器部５の形状に合わせて形成され、例えば図２のように立方体形状をしている。立方体の一つの面には植栽用凹部１ａが形成されており、この植栽用凹部１ａに植物３０が植えられる。植栽用凹部１ａに植物３０の根部分が収まるが、前記根部分は、根だけであっても良く、または苗育成時における苗床の一部を含んでいても良い。植栽用凹部１ａが形成された面と隣合う一つの面には、後記灌水出口１４の立縁部１４ａが嵌り込む位置決め用凹部１ｂが形成されている。
【００１９】
図１（Ａ）において、植物育成基盤１を収容する容器部５は、前記仕切り板４と、この仕切り板４の正面側に固定された容器形成部材１０とで構成される。この例の容器部５は立方体形状であり、背面に前記通気層６と連通する通気口１１を、前面に植栽用開口１２をそれぞれ有し、かつ上面に灌水入口１３を、下面に灌水出口１４をそれぞれ有する。灌水入口１３および灌水出口１４の内周縁には、上方に立ち上がる立縁部１３ａ，１４ａがそれぞれ形成されている。仕切り板４として穴あき鋼板を使用する場合、穴あき鋼板の穴を前記通気口１１とすることができる。
【００２０】
前記通気層６は、装置躯体３の下側の空気室１７と連通穴１８で繋がっており、この連通穴１８に、空気室１７から通気層６へ空気を送るファン１９が設置されている。ファン１９は、例えばターボファンである。空気室１７の前面部には、フィンで仕切られた空気出入り口１７ａが設けられている。ファン１９を駆動すると、空気出入り口１７ａから空気を吸い込み、その空気が空気室１７、通気層６を通り、各植物育成基盤１を背面側から正面側へ通過して植栽面から排出する空気の流れが生じる。なお、ファン１９の空気送り方向を逆向きに設置して、植物育成基盤１に逆向きの空気の流れが生じるようにしても良い。
【００２１】
最上段の容器部５と装置躯体３の天板部との間には、灌水手段２１が設けられている。例えば、灌水手段２１は、一端が給水源に接続され外周に複数の孔が開けられたチューブであって、前記孔から滲み出た水が、最上段の容器部５の潅水入口１３から同容器部５に収容されている植物段育成基盤１に滴下されるようになっている。この最上段の植物育成基盤１で余った水は、潅水出口１４から下方に滴下されて、上から２段目の植物育成基盤１に水が供給される。以下同様にして、順次下方の植物育成基盤１に水が供給される。
【００２２】
装置躯体３の底部における仕切り板１４よりも正面側の部分は、最下段の植物育成基盤１から落ちてくる余分の水を受けて大気浄化壁面緑化装置の幅方向に沿って案内する樋２２になっている。樋２２の水案内方向の下流部には下方に延びる排水パイプ２３が設けられ、樋２２で受けられた水が排水パイプ２３を通って、空気室１７の下側に設けられた貯水タンク２４に集められる。樋２２および貯水タンク２４を設けることで、余分の水を回収することができる。
【００２３】
この構成の大気浄化壁面緑化装置は、前記スポンジ状またはロール状の各植物育成基盤１に植物３０が植えられ、灌水手段２１により各植物育成基盤１に適量の水が供給される。植物３０は、容器部５の植栽用開口１２から外に向かって伸び、正面側の壁面を緑化する。また、各植物育成基盤１の背面側に通気層６を設け、かつ各容器部５に通気層６と連通する通気口１１を設けてあるため、ファン１９により送風することで、各植物育成基盤１を背面側から正面側へ通過する空気の流れ、または逆向きの空気の流れを生じさせることができる。この空気の流れにより、空気が各植物育成基盤１を通過する際に、空気中の汚染物質が吸着、除去されて、空気が清浄化される。植物育成基盤１はスポンジ状またはロール状であるため、均一な仕様にすることができ、そのため、通気性にムラが生じ難い。
送風用のファン１９は装置躯体３から離して設け、ダクトで通気層６に接続しても良いが、この実施形態のように、ファン１９を通気層形成部材２に設置すると、外部にファン１９やダクトを設けることが不要となり、ファン１９を含めて全体をコンパクトに構成でき、また設置が簡単に行える。
【００２４】
スポンジ状またはロール状の植物育成基盤１は軽量であるため、大気浄化壁面緑化装置の構造体を比較的簡易な構成とすることができる。これらのため材料選択の幅ができ、コストダウンを図れると共に意匠性を高めることができる。また、複数の植物育成基盤１の背面が互いに共通の通気層６に沿うように、各植物育成基盤１が配列されているため、一つの通気層６で複数の植物育成基盤１に空気を通過させることができ、全体構成を簡易なものとすることができる。また、各植物育成基盤１は、通気層形成部材２の前面に設けられた複数の容器部５にそれぞれ収容されるため、各植物育成基盤１を所定の位置に精度良く配置することができる。また、土を用いないため、室内に設置しても、土がこぼれ落ちて室内を汚すことがない。
【００２５】
また、この実施形態のように、複数の容器部５が互いに間隔を開けて複数個配列されていると、各容器部５で育成される植物３０が互いに干渉することを防止できるという利点が得られる。この場合に容器部５の背面の全体が通気口１１となっていると、通気口１１から入った空気の一部が、植物育成基盤１を通過せずに周辺に漏れ、植物育成基盤１による浄化機能が十分に発揮されないことがある。しかし、この実施形態のように通気口１１を植物育成基盤１の背面に比べて小さくしてあると、周辺への空気の漏れが無くせ、確実な浄化が行える。
【００２６】
この大気浄化壁面緑化装置による効果をまとめると、以下のようになる。
・大気を浄化する植物育成基盤１を土等の土壌ではなくスポンジ状の発泡素材、またはロール状にしたフェルト状のマット素材としたので、大気浄化壁面緑化装置全体を軽量にすることができる。
・大気浄化壁面緑化装置全体が軽量であるため、大気浄化壁面緑化装置の構造躯体も軽量にすることができる。
・構造躯体が軽量であると、構造躯体の材料選択の幅が広がり、コストダウンを図れると共に、意匠性を高めることができる。
・植物育成基盤１を収容する容器部５に設けられる通気口１１の位置および大きさを任意に決めることで、通気をコントロールすることができる。
・植物育成基盤１に土壌を用いないため、土が周囲にこぼれることなく、また大気浄化のために植物育成基盤１に通気しても、土壌の臭いが発生しない。そのため、室内に設置することが可能である。
・複数の植物育成基盤１が分散して配置されているため、上下の植栽箇所ごとの水分勾配が出にくい。そのため、どの植栽箇所でも、植物３０の生育が安定する。
・植物育成基盤１に耐久性の高い素材を用いることができる。それにより、植物育成基盤１を構成する成分が減少して、植物育成基盤１の上部に隙間ができることを防げる。
【００２７】
図１の実施形態は片方の壁面のみが植栽面とされているが、両方の壁面を植栽面にして、パーテーション、衝立のように用いてもよい。その場合、図３のように、厚み方向の中央部に通気層６を配置し、その両側に複数の植物育成基盤１をそれぞれ配置する。
【００２８】
また、図１の実施形態は通気層６の下にファン１９が設置されているが、図４のように、通気層６の上にファン１９を設置しても良い。この場合、装置躯体３の上に設けられた空気室１７の空気出入り口１７ａから空気が出入りする。
【００２９】
以上の各実施形態は、各植物育成基盤１が容器部５にそれぞれ１個ずつ収容されているが、図５（Ａ）のように、容器部５を左右に長い長方形状とし、この容器部５に複数の植物育成基盤１を収容しても良い。この場合、仕切り板４に設けられる通気口１１の形状を、容器部５の形状に合わせて、各植物育成基盤１で共有となる長方形状としても良い。図５（Ｂ）のように、植物育成基盤１ごとに１つの植物３０を植えても良く、また図５（Ｃ）のように、１つの植物育成基盤１に複数の植物３０を植えても良い。なお、図５（Ａ）の大気浄化壁面緑化装置は、図５（Ｂ）の容器部５が設けられている。
【００３０】
また、最上段の容器部５の上方に設けた灌水手段２１により各植物育成基盤１に灌水を行うのではなく、図６（Ａ）のように、貯水タンク２４内の水をポンプ等で最上段の容器部５の上方まで引き上げ、その引き上げた水が各植物育成基盤１を通って貯水タンク２４へ戻るように構成しても良い。その場合、図６（Ｂ），（Ｃ）のように、容器部５に貯水タンク２４から引き上げる水が通るパイプ２６を設置すると良い。なお、図６（Ａ）の大気浄化壁面緑化装置は、図６（Ｂ）の容器部５が設けられている。
【符号の説明】
【００３１】
１…植物育成基盤
２…通気層形成部材
５…容器部
６…通気層
１１…通気口
１２…植栽用開口
１３…灌水入口
１４…灌水出口
１９…ファン
２１…灌水手段
２２…樋
２４…貯水タンク
３０…植物
【図１】
2015029426.tif 000003
【図２】
2015029426.tif 000004
【図３】
2015029426.tif 000005
【図４】
2015029426.tif 000006
【図５】
2015029426.tif 000007
【図６】
2015029426.tif 000008